(57)【要約】      （修正有）【課題】地震発生時等において棚に載置したファイルや書籍等が当該棚より落下するのを確実に防止すると共に装着が容易で安価な、載置物落下防止具を提供する。【解決手段】上下棚板で形成される載置空間の略中間の高さにおいて、先端部にオス側ワンタッチバックル３を係着したベルト１の後端部を棚の左右いずれかの側板の前部に固定し、先端部にメス側ワンタッチバックル４を係着したベルトの後端部を前記オス側ワンタッチバックルを係着したベルトの固定位置と反対側の側板の前部に固定し、各ベルトのワンタッチバックルと側板の固定手段との間にベルトの長さを調節するためのベルト留め５を係着し、オス側ワンタッチバックルとメス側ワンタッチバックルを嵌着したときに緩みなく左右の側板２間の前面にベルトを張設できる構造とする。【選択図】図１
0003170539.tif 000002
【実用新案登録請求の範囲】
【請求項１】
上下棚板で形成される載置空間の略中間の高さにおいて、先端部にオス側ワンタッチバックルを係着したベルトの後端部を棚の左右いずれかの側板の前部に固定し、先端部にメス側ワンタッチバックルを係着したベルトの後端部を前記オス側ワンタッチバックルを係着したベルトの固定位置と反対側の側板の前部に固定し、各ベルトのワンタッチバックルと側板の固定手段との間にベルトの長さを調節するためのベルト留めを係着し、オス側ワンタッチバックルとメス側ワンタッチバックルを嵌着したときに緩みなく左右の側板間の前面にベルトを張設できる構造としたことを特徴とする、載置物落下防止具。
【考案の詳細な説明】
【技術分野】
【０００１】  本考案は、地震発生時等において棚に載置したファイルや書籍等が当該棚より落下するのを防止するための、載置物落下防止具に関するものである。
【背景技術】
【０００２】  従来、家庭やオフィスを始めあらゆる場所においてファイルや書籍等を木製棚やスチール製棚に載置して整理保管している。【０００３】  地震発生時等において上記棚に載置したファイルや書籍等が当該棚より落下するのを防止するための方法として、当該棚自体が転倒するのを防止すべく、棚の天板と天井との間に突っ張り棒を設置したり、Ｌ金具等により棚と壁とを固定するなどの方法がある。【０００４】  しかしながら、上記方法では大きな地震、特に横揺れが激しい地震の場合、棚自体は天井や壁に固定されて転倒しなくとも、棚板に載置したファイルや書籍等が落下する危険性がある。このような危険性を防止すべく、例えば実開平０６−０５５４４６号公報の考案の名称「棚板の載置物落下防止機構」には、棚板の前縁部に前上端の形状を山形に形成した落下防止部材を嵌め込み式に装着して落下防止を図ることを特徴とした落下防止具について記載され、特開平１０−２２９９２２号公報の発明の名称「棚載置物落下防止装置」には、書架前側の左右の支柱に一対の書籍止め杆受け具を装着し当該杆左右の受け具に書籍止め杆を架設して落下防止を図ることを特徴とした落下防止具について記載され、さらに、特開２００３−７９４６１号公報の発明の名称「落下防止シート及び棚板等の構造」には、書籍等の収納物の下に高摩擦材シートの幅が収納物の奥行の半分以下に敷設して落下防止を図ることを特徴とした落下防止具について記載されている。【０００５】
【特許文献１】実開平０６−０５５４４６号
【特許文献２】特開平１０−２２９９２２号
【特許文献３】特開２００３−７９４６１号
【考案の開示】
【考案が解決しようとする課題】
【０００６】  上記公報において、実開平０６−０５５４４６号に記載の落下防止具および特開２００３−７９４６１号に記載の落下防止具は、横揺れの小さな地震に対しては有効であるものの、横揺れの大きな地震に対しては効果はない。特に、大きな横揺れと縦揺れが同時に起こると、棚板の載置物は浮き上がるようにして落下するために全く効果はない。また、特開平１０−２２９９２２号に記載の落下防止具は、小さな横揺れと縦揺れが同時に起こった場合には効果はあるが、大きな横揺れと縦揺れが同時に起こった場合には書籍止め杆自体が受け具より脱落する可能性があり、脱落した場合には載置物が一気に落下する可能性がある。なお、前記実開平０６−０５５４４６号と特開平１０−２２９９２２号に記載の落下防止具は、寸法が決められているために既存の棚に後付けすることができないという欠点があった。さらに構成部材が成型品のために安価に製造することができないといった問題点があった。【０００７】  本考案は、上記問題点を解決するために成されたものであり、地震発生時等において棚に載置したファイルや書籍等が当該棚より落下するのを確実に防止すると共に装着が容易で安価な、載置物落下防止具を提供することを目的とする。
【課題を解決するための手段】
【０００８】  上記課題を解決するため、本考案の載置物落下防止具は、上下棚板で形成される載置空間の略中間の高さにおいて、先端部にオス側ワンタッチバックルを係着したベルトの後端部を棚の左右いずれかの側板の前部に固定し、先端部にメス側ワンタッチバックルを係着したベルトの後端部を前記オス側ワンタッチバックルを係着したベルトの固定位置と反対側の側板の前部に固定し、各ベルトのワンタッチバックルと側板の固定手段との間にベルトの長さを調節するためのベルト留めを係着し、オス側ワンタッチバックルとメス側ワンタッチバックルを嵌着したときに緩みなく左右の側板間の前面にベルトを張設できる構造とする。
【考案の効果】
【０００９】  本考案の載置物落下防止具を用いれば、地震発生時等に大きな横揺れと縦揺れが同時に起こっても棚に載置したファイルや書籍等の前面にベルトが張設されているため、前記ファイルや書籍等が当該棚より落下するのを確実に防止することができるという効果を奏する。また、ベルトの固定やベルトの長さ調節が容易であることから既存の棚への装着が容易であるという効果を奏する。さらに、ベルトやワンタッチバックルおよびベルト留めなどの主な部材は安価であるため、載置物落下防止具として構成した場合も安価であるという効果を奏する。
【考案を実施するための最良の形態】
【００１０】  本考案を実施するための最良の形態を図を用いて説明する。【００１１】  図１は本考案の載置物落下防止具の一実施例の構成図である。また、図７は本考案の載置物落下防止具の一実施例における棚への実装方法を示した正面図であり、図８は本考案の載置物落下防止具の一実施例における棚への実装方法を示した平面図である。該図に示すように上下棚板１３，１３で形成される載置空間の略中間の高さにおいて、先端部にオス側ワンタッチバックル３を係着したベルト１の後端部を棚の左右いずれかの側板２の前部に固定し、先端部にメス側ワンタッチバックル４を係着したベルト１の後端部を前記オス側ワンタッチバックル３を係着したベルト１の固定位置と反対側の側板２の前部に固定し、各ベルト１，１のワンタッチバックル３，４と側板２の固定手段との間にベルト１，１の長さを調節するためのベルト留め５，５を係着し、オス側ワンタッチバックル３とメス側ワンタッチバックル４を嵌着したときに緩みなく左右の側板２，２間の前面にベルト１，１を張設できる構造とする。【００１２】  図７及び図８においては、本考案の載置物落下防止具の一実施例における棚への実装方法を示しており、左右の側板２，２と上下棚板１３，１３で形成される載置空間にファイル１４を間隙なく並べた状態である。上述のようにして構成した載置物落下防止具を前記ファイル１４の前面に張設することにより、地震発生時に大きな横揺れと縦揺れが同時に起こっても棚板１３に載置したファイル１４は当該ベルト１により落下するのを確実に防止することができる。【００１３】  上記ベルト１の後端部を側板２の前部に固定する固定手段として、上記図では押止板６をベルト１に被せ、該押止板６に穿孔された穴（図示せず）よりネジ７をベルト１に貫通させて側板２に螺着固定する方法を示しているが、これに限定せず他の固定手段を用いても構わない。【００１４】  図２はベルトの側板への固定手段の第二実施例図である。該図においては、側板２に挟持具８を固定し、該挟持具８にベルト１を挟着固定する方法を示している。図５は図２における挟持具の構造図であり、（ａ）図に示すように挟持具８のレバー１６を引き上げた状態にし、該挟持具８の本体ベースにあるネジ穴（図示せず）より木ネジ１５にて側板２に螺着固定する。なお、側板２は木製としたため木ネジ１５で固定したが、スチール製等であれば一般的なネジで固定したり、両面テープで貼着固定しても構わない。該状態において、レバー１６の軸２０側下部と挟持具８の本体ベースとの間にはベルト１を挿入するための間隙を有したベルト挿入部１９が形成される。また、前記レバー１６の先端部にはレバー側挟持歯１７が形成され、挟持具８の本体ベース先端面にはベース側挟持歯１８が形成されている。ここで、（ｂ）図に示すように前記ベルト挿入部１９にベルト１を挿入し、レバー１６を押し下げると、レバー１６の先端部にあるレバー側挟持歯１７と挟持具８の本体ベース先端面にあるベース側挟持歯１８とにより、ベルト１は挟持具８に挟持固定される。【００１５】  図３はベルトの側板への固定手段の第三実施例図である。該図においては、上記木製の側板２に代え、長穴１０を長手方向に多数穿孔したスチール製のＬ型支柱９を使用している。この場合、ベルト１の後端部を当該長穴１０に挿入して折り返し、ベルト留め５で締着することにより、ベルト１はＬ型支柱９に固定される。【００１６】  図４はベルトの側板への固定手段の第四実施例図である。該図においては、側板２に保持具２１を固定し、該保持具２１にベルト１を保持固定する方法を示している。図６は図４における保持具の構造図であり、（ａ）は平面図、（ｂ）は側面図である。該図に示すように、保持具２１はベースよりベルト保持部２２を押出してベルト挿入部２４を形成した金具である。棚２が木製の場合は保持具２１の角部に穿孔された穴２３に木ネジ２６を挿入して螺着固定するが、スチール製の場合は当該保持具２１のベース底面に貼着した両面テープ２５にて貼着固定する。ここで、ベルト１の後端部を前記ベルト挿入部２４に挿入して折り返し、ベルト留め５で締着することにより、ベルト１は棚２に固定される。【００１７】  以上ベルト１の側板２又はＬ型支柱９への固定手段として４つの方法を示したが、これらに限定せず、他の固定方法であっても構わない。【００１８】  また、オス側ワンタッチバックル３とメス側ワンタッチバックル４の嵌着機構は、図１においてオス側ワンタッチバックル３の上下側部に形成された掛止レバー１１，１１の先端部に爪部１２，１２が形成され、該オス側ワンタッチバックル３をメス側ワンタッチバックル４内に挿入したときに前記爪部１２，１２がメス側ワンタッチバックル４内に形成された係止部（図示せず）に掛かることにより嵌着する。オス側ワンタッチバックル３とメス側ワンタッチバックル４の嵌着を外す場合は、前記掛止レバー１１，１１を親指と人差し指で摘んで引き抜くことにより容易に行える。【００１９】  なお、上述のベルト１の幅は使用する棚の幅やファイルの量等により最適なものを使用し、ワンタッチバックル３，４、ベルト留め５、押止板６、挟持具８及び保持具２１の大きさもそれに合ったものを使用する。また、前記ワンタッチバックル３，４、ベルト留め５、押止板６、挟持具８及び保持具２１の形状は図示したものに限定せず、他の形状であっても構わない。
【産業上の利用可能性】
【００２０】  上記説明において、本考案の載置物落下防止具を棚板１３に載置したファイル１４を例にしたが、書籍や他のあらゆる物品に対しても利用可能である。また、棚の大きさ、形状、材質等についても特に制限することなく利用可能である。
【図面の簡単な説明】
【００２１】
【図１】本考案の載置物落下防止具の一実施例の構成図である。
【図２】ベルトの側板への固定手段の第二実施例図である。
【図３】ベルトの側板への固定手段の第三実施例図である。
【図４】ベルトの側板への固定手段の第四実施例図である。
【図５】図２における挟持具の構造図である。
【図６】図４における保持具の構造図である。
【図７】本考案の載置物落下防止具の一実施例における棚への実装方法を示した正面図である。
【図８】本考案の載置物落下防止具の一実施例における棚への実装方法を示した平面図である。
【符号の説明】
【００２２】  １  ベルト
２  側板
３  オス側ワンタッチバックル
４  メス側ワンタッチバックル
５  ベルト留め
６  押止板
７  ネジ
８  挟持具
９  Ｌ型支柱
１０  長穴
１１  掛止レバー
１２  爪部
１３  棚板
１４  ファイル
１５  木ネジ
１６  レバー
１７  レバー側挟持歯
１８  ベース側挟持歯
１９  ベルト挿入部
２０  軸
２１  保持具
２２  ベルト保持部
２３  穴
２４  ベルト挿入部
２５  両面テープ
２６  木ネジ
【図１】
0003170539.tif 000003
【図２】
0003170539.tif 000004
【図３】
0003170539.tif 000005
【図４】
0003170539.tif 000006
【図５】
0003170539.tif 000007
【図６】
0003170539.tif 000008
【図７】
0003170539.tif 000009
【図８】
0003170539.tif 000010